(57)【要約】  【課題】  縦置きしても雑音が発生しない鍵盤装置を提供する。  【解決手段】  鍵盤装置１は、カギ部５４が、非押鍵時、押鍵時にかかわらず、鍵５の配列方向から見て疑似ハンマー７に常に重なる長さに形成され、鍵５は、このカギ部５４に挟まれた状態で揺動する。そのため、鍵５は疑似ハンマー７に対し、鍵５の配列方向にぶれない状態で揺動する。また、鍵５は、鍵ブレ防止片３０等に案内されて摺動するため、鍵５はフレーム３に対し鍵５の配列方向にブレない状態で摺動する。また、疑似ハンマー７は、ハンマーブレ防止片３４に挟まれた状態で摺動するため、疑似ハンマー７はフレーム３に対し鍵５の配列方向にぶれない状態で摺動する。従って、この鍵盤装置１では、縦置きしても、鍵５と疑似ハンマー７とが鍵５の配列方向にぶれることがないので、鍵５と疑似ハンマー７がぶつかって発生する雑音を確実に防止することができる。【選択図】  図１
2005031492.tif 000002
【特許請求の範囲】
【請求項１】
シャーシ上に配列され、該シャーシに対し揺動可能に取り付けられた複数の鍵と、
該各鍵の下部に前記鍵の長手方向に沿って配置され、前記シャーシに揺動可能に取り付けられた疑似ハンマーと、
前記鍵の下部から下方に向かって延設された延設部材と、
を備え、
前記鍵を押鍵すると前記疑似ハンマーが揺動する鍵盤装置において、
前記延設部材の長さは、前記鍵の配列方向から見て、前記疑似ハンマーの少なくとも一部が前記延設部材に常に重なる長さであることを特徴とする鍵盤装置。
【請求項２】
前記延設部材は、前記鍵が上方に向かって揺動する動作を規制する鍵ストッパーであることを特徴とする請求項１記載の鍵盤装置。
【請求項３】
前記延設部材は、前記疑似ハンマーを挟んだ両側に少なくともひとつずつ設けられていることを特徴とする請求項１，２いずれか記載の鍵盤装置。
【請求項４】
前記疑似ハンマーは、前記延設部材に対し摺動可能に配置されたことを特徴とする請求項１〜３いずれか記載の鍵盤装置。
【請求項５】
前記疑似ハンマーと前記延設部材との間に、第１摩擦軽減手段が配置されていることを特徴とする請求項１〜４いずれか記載の鍵盤装置。
【請求項６】
前記シャーシは、前記疑似ハンマーが前記配列方向にぶれることを防止するハンマーブレ防止手段を備えていることを特徴とする請求項１〜５いずれか記載の鍵盤装置。
【請求項７】
前記ハンマーブレ防止手段と前記疑似ハンマーとの間に、第２摩擦軽減手段が配置されていることを特徴とする請求項６記載の鍵盤装置。
【請求項８】
前記シャーシは、前記鍵が前記配列方向にぶれることを防止する鍵ブレ防止手段を備えていることを特徴とする請求項１〜７いずれか記載の鍵盤装置。
【請求項９】
前記鍵ブレ防止手段と前記鍵との間に、第３摩擦軽減手段が配置されていることを特徴とする請求項８記載の鍵盤装置。
【発明の詳細な説明】
【技術分野】
【０００１】
本発明は、鍵盤装置に関する。
【背景技術】
【０００２】
従来より、電子ピアノの鍵盤装置は、鍵と、疑似ハンマーと、シャーシとを備えている。
【０００３】
鍵は長尺に形成され、白鍵及び黒鍵合わせて８８本がシャーシ上に平行に配列されている。そして各鍵は、非演奏者側の端部がシャーシに揺動可能に支持されている。
疑似ハンマーも長尺に形成され、各鍵の下部にその長手方向に沿って配置されている。そして各疑似ハンマーは、各鍵の下部に鍵の長さ方向に沿って配置され、非演奏者側の端部がシャーシに揺動可能に支持されている。
【０００４】
また、鍵は、上方に向かって揺動する動作を規制する鍵ストッパーを備えている。この鍵ストッパーは、鍵の下部から下方に向かって延設され、かつ、疑似ハンマーを挟んだ両側に配置されている。
【０００５】
このように構成された鍵盤装置では、押鍵すると疑似ハンマーも揺動し、そのため演奏者は、押鍵時にアコースティックピアノのアクションを動かしているかのような押鍵感を感じるのである。
【特許文献１】実開平５−９４８８７号公報
【発明の開示】
【発明が解決しようとする課題】
【０００６】
しかし、上述した鍵盤装置では、押鍵時に鍵は下方に移動し疑似ハンマーは上方に移動するため、疑似ハンマーが鍵の配列方向にぶれると、鍵と疑似ハンマーとが当たってとりわけ大きな雑音を発生する。
【０００７】
このような疑似ハンマーのぶれは、運搬時等に鍵盤装置を縦置き（鍵の配列方向が上下になる置き方）すると、疑似ハンマーの先端の錘の自重で、疑似ハンマーが下方に傾くこと等によって発生することが多い。
【０００８】
そこで本発明では、上述した問題点を解決し、ハンマーと鍵とか衝突して発生する雑音を確実に抑えることができる鍵盤装置を提供することを目的とする。
【課題を解決するための手段】
【０００９】
上述した問題点を解決するためになされた請求項１に記載の発明は、シャーシ上に平行に配列され、該シャーシに対し揺動可能に取り付けられた複数の鍵と、該各鍵の下部に前記鍵の長手方向に沿って配置され、前記シャーシに揺動可能に取り付けられた疑似ハンマーと、前記鍵の下部から下方に向かって延設された延設部材と、を備え、前記鍵を押鍵すると前記疑似ハンマーが揺動する鍵盤装置において、前記延設部材の長さは、前記鍵の配列方向から見て、前記疑似ハンマーの少なくとも一部が前記延設部材に常に重なる長さであることを特徴とする。
【００１０】
この請求項１記載の鍵盤装置では、疑似ハンマーの少なくとも一部が、鍵の配列方向から見て、延設部材に常に重なるように配置されているので、この鍵盤装置では、縦置き等により疑似ハンマー（あるいは鍵）が鍵の配列方向に傾いても、延設部材が疑似ハンマーあるいは鍵の配列方向への移動を規制する。そのため、この鍵盤装置では、押鍵時に疑似ハンマーと鍵とが衝突する位置に疑似ハンマーがずれたり、曲がったりすることがない。従って、この請求項１記載の鍵盤装置を用いると、疑似ハンマーと鍵とが押鍵時に衝突することがないので、従来押鍵時にこれらが衝突して発生していた雑音を確実に抑えることができる。
【００１１】
尚、延設部材としては、請求項２に記載したように、鍵が上方に向かって揺動する動作を規制する鍵ストッパーであることが好ましい。この鍵ストッパーを利用すれば、他に延設部材を設けなくてもよいので、部品点数が減るからである。
【００１２】
また、延設部材は、請求項３に記載したように、疑似ハンマーを挟んだ両側に少なくともひとつずつ設けられていることが好ましい。このようにすれば、疑似ハンマーあるいは鍵が配列方向のどちらにずれても鍵と疑似ハンマーとが押鍵時にぶつかることがないので、より確実に雑音の発生を防ぐことができる。
【００１３】
次に、請求項４記載の鍵盤装置のように、疑似ハンマーを、両延設部材に対し摺動可能に配置してもよい。このようにすれば、鍵と疑似ハンマーとの位置関係が固定されるので、これらが衝突して発生していた雑音をより確実に抑えることができる。
【００１４】
この場合、請求項５に記載したように、疑似ハンマーと延設部材との間に、第１摩擦軽減手段が配置されていることが好ましい。このようにすれば、請求項４のように疑似ハンマーと延設部材とを摺動する構成にすると発生する可能性がある摩擦音の発生をも確実に抑えることができる。
【００１５】
次に、請求項６記載の鍵盤装置のように、シャーシは、疑似ハンマーが揺動面に垂直な方向にぶれることを防止するハンマーブレ防止手段を備えていることが好ましい。このように、シャーシに疑似ハンマーがぶれることを防止する手段を設ければ、疑似ハンマーが配列方向にぶれて、鍵と疑似ハンマーとが衝突して発生する可能性のある雑音をより確実に抑えることができる。
【００１６】
この場合、請求項７記載の鍵盤装置のように、ハンマーブレ防止手段と疑似ハンマーとの間に、第２摩擦軽減手段が配置されていることが好ましい。このようにすれば、請求項６のように構成することで疑似ハンマーとハンマーブレ防止手段とが当接あるいは摩擦しても、これらが当接する時等に発する雑音を確実に抑えることができる。
【００１７】
次に、請求項８記載の鍵盤装置のように、シャーシは、鍵が配列方向にぶれることを防止する鍵ブレ防止手段を備えていることが好ましい。このように、シャーシに鍵がぶれることを防止する手段を設ければ、鍵が配列方向にぶれて、鍵と疑似ハンマーとが衝突して発生する可能性のある雑音をより確実に抑えることができる。
【００１８】
この場合、請求項９記載の電子楽器のように、鍵ブレ防止手段と鍵との間に、第３摩擦軽減手段が配置されていることが好ましい。このようにすれば、請求項８のように構成することで鍵と鍵ブレ防止手段とが当接あるいは摩擦しても、これらが当接する時等に発する雑音を確実に抑えることができる。
【００１９】
尚、前記第１〜第３摩擦軽減手段は、摩擦面に貼られたフェルトでもよいし、グリース等の潤滑油でもよい。
また、例えば、延設部材と、ハンマーブレ防止手段とを、疑似ハンマーを挟んで配置して、疑似ハンマーを配列方向にぶれないように構成するなどしてもよい。
【発明を実施するための最良の形態】
【００２０】
以下、本発明が適用された実施の形態について図面を用いて説明する。
図１及び図２は本実施形態の鍵盤装置の断面図で、鍵の配列方向から見た断面図である。ただし、図１は非押鍵時、図２は押鍵時の状態を示している。尚、図１及び図２は白鍵のみ示してある。
【００２１】
本実施形態の電子ピアノの鍵盤装置1は、長尺な略平板状に形成されたシャーシ３と、このシャーシ３の長手方向（図１及び図２の紙面に垂直な方向）に沿ってシャーシ３上に平行に配列された鍵５と、この各鍵５の下部に鍵５の長手方向に沿って配置された疑似ハンマー７を備えている。
【００２２】
このうちシャーシ３は、これら鍵５及び疑似ハンマー７を揺動可能に取り付けるために複雑な凹凸形状に形成されている。具体的には、このシャーシ３は、演奏者側（図1の紙面の向かって左側）から、鍵ブレ防止片３０、ストッパー３１〜３３、ハンマーブレ防止片３４、ストッパー３５、ストッパー３７、軸受部３８、ゴムスイッチ３９、鍵ブレ防止片４０、軸部４１が形成されている。
【００２３】
このうち鍵ブレ防止片３０，４０は、シャーシ３に揺動可能に取り付けられた鍵５に対し下方から挿入可能な略長方形状に形成され、演奏者側、非演奏者側及び、それらの中間位置より演奏者側寄りの３箇所に、演奏者側を向いて立設されている。また、この鍵ブレ防止片３０，４０は、厚みをなす側面のうち鍵５の配列方向に垂直な側面（以下、摺動側面と呼ぶ）が、配列方向に垂直な鍵５の両側面５０の内壁に当接した状態で挿入可能な大きさに形成されている。そのため、鍵５は、この鍵ブレ防止片３０，４０の摺動側面に案内されて上下方向に摺動することはできるが、配列方向へぶれることが防止される。
尚、この鍵ブレ防止片３０，４０の摺動側面上にはグリース（本発明の第３摩擦軽減手段）が塗られており、鍵５が揺動する際、鍵５と鍵ブレ防止片３０，４０との摩擦が軽減され、鍵５はスムーズに揺動する。また、このグリスが塗られていることにより、鍵５が揺動する際、鍵ブレ防止片３０，４０と鍵５との間で発生することが予想される摩擦音の発生を防止することができる。尚、この鍵ブレ防止片３０，４０が当接している鍵５の側面５０は、以下「鍵側面５０」と呼ぶ。また、本実施形態では、グリスを鍵ブレ防止片３０，４０の摺動側面に塗ったが、鍵ブレ防止片３０，４０と鍵５との摩擦を軽減するものであればどのようなものを、これらの間に配置してもよく、例えば、摺動側面上にフェルトを貼り付けてもよい。
【００２４】
ストッパー３１はフェルトで形成され、図２に示すように、押鍵されて疑似ハンマー７が揺動して上昇したとき、この疑似ハンマー７の演奏者側の端部に形成された突起片７０に対向する位置に形成されている。この突起片７０がストッパー３１に当接することにより、押鍵時に上昇運動する疑似ハンマー７が止められる。
【００２５】
ストッパー３２，３７はフェルトで形成され、図２に示すように、押鍵されて鍵５が下降したとき、この鍵５に形成された各突起片５２，５６に対向する位置に形成されている。この突起片５２，５６がストッパー３２，３７に当接することにより、押鍵時に下降運動する鍵５が止められる。
【００２６】
ストッパー３３はフェルトで形成され、図１に示すように、非押鍵時の突起片７０に対向する位置に形成されている。この突起片７０がストッパー３３に当接することにより、押鍵終了時に下降運動する疑似ハンマー７が止められる。
【００２７】
ハンマーブレ防止片３４は、疑似ハンマー７の演奏者側先端の鍵５に垂直な側面であって、錘７５が貼り付けられる各貼付側面７５ａに対向する位置にそれぞれ設けられており、各ハンマーブレ防止片３４は、ストッパー３３が設けられた部分から上方に向かって垂直に立設され、各貼付側面７５ａが押鍵時及び非押鍵時のいずれのときも対向する長さに形成されている。また、これらハンマーブレ防止片３４は、疑似ハンマー７が両方のハンマーブレ防止片３４に当接した状態で摺動可能な間隔に配置されており、そのため疑似ハンマー７は、このハンマーブレ防止片３４によって鍵５の配列方向にぶれることが防止される。
【００２８】
尚、ハンマーブレ防止片３４に対向する錘７５上には、フェルト７２（本発明の第２摩擦軽減手段に相当）が貼り付けられており、疑似ハンマー７が揺動する際、疑似ハンマー７とハンマーブレ防止片３４との摩擦が軽減され、疑似ハンマー７はスムーズに揺動する。また、フェルト７２が設けられていることにより、疑似ハンマー７が揺動する際、ハンマーブレ防止片３４との間で発生することが予想される摩擦音の発生を防止することができる。尚、本実施形態では、フェルト７２をハンマーブレ防止片３４の添付側面７５ａに配置したが、ハンマーブレ防止片３４と疑似ハンマー７との摩擦を軽減するものであればどのようなものを、これらの間に配置してもよく、例えば、添付側面７５ａ上にグリス等の潤滑油を塗ってもよい。
【００２９】
ストッパー３５は、図１に示すように、非押鍵時に上昇したとき、鍵５に設けられたカギ部５４の非演奏者側に形成された爪部５４０に対向する位置に形成されている。このストッパー３５の演奏者側のシャーシ３には、カギ部５４を挿通可能な図示しない挿通孔が形成されおり、ストッパー３５はこの挿通孔の非演奏者側の縁部に設けられている。鍵５は、非押鍵時に疑似ハンマー７の重量により演奏者側端部が上方へ移動する力を受けるが、カギ部５４がこのストッパー３５に引っかかることにより、カギ部５４及びストッパー３５は、鍵５が必要以上に上方に向かって揺動する動作を規制している。
【００３０】
軸受部３８は、鍵５の配列方向に沿って設けられた疑似ハンマー７の軸部７３を上方から挿抜可能なＵ字形状に形成された切り込みである。この軸受部３８の底部に疑似ハンマー７の軸部が嵌め込まれると、疑似ハンマー７は、鍵５の下部に鍵５の長手方向に沿い、かつ、錘７５が貼り付けられた側の端部が演奏者側を向いて上下方向に揺動可能に取り付けられる。
【００３１】
ゴムスイッチ３９は、疑似ハンマー７の軸部７３より非演奏者側に形成され、非演奏者側に向かって延設された押下片７４の下方のシャーシ３上に設けられている。鍵５が押下されると疑似ハンマー７の押下片７４が鍵５の押下片５８に押されて下方に移動し、この押下片７４に押されてつぶさて、鍵５が押鍵されたことを検出する。本実施形態の鍵盤装置１では、このゴムスイッチ３９により鍵５が押鍵されたことを検出すると、図示しないスピーカから、演奏音を放音するよう構成されている。
【００３２】
軸部４１は、シャーシ３の非演奏者側端部に、鍵５の配列方向に沿って設けられている。鍵５は、軸部４１に取り付けられることによって、遊端側が演奏者側を向いて、シャーシ３に対し揺動可能に取り付けられる。
【００３３】
次に、鍵５は、当該鍵盤装置１に８８鍵備えられ、シャーシ５の長手方向の一端側から他端側に向かって順に平行に並べられている。そして各鍵５は、その一端がシャーシ３の非演奏者側に支持されることより、他端側がシャーシ３の演奏者側で上下方向に揺動するよう取り付けられる。
【００３４】
各鍵５は、長尺状に形成されるとともに、鍵ブレ防止片３０，４０を挿抜可能な開口部を下面に備える中空状に形成されたものである。そしてこの鍵５は、演奏者側から突起片５２、カギ部５４、突起片５６、押下片５８、把持部６０を備えている。
【００３５】
このうち突起片５２，５６は、鍵５内に設けられた長方形状の部材である。これら突起片５２，５６は鍵５内で演奏者側を向いて設置され、下端が、鍵５の下部に一致する大きさに形成されている。そして、この突起片５２，５６は、図２に示すように、鍵５があらかじめ定められたあがき量分だけ押鍵されたとき、ストッパー３２，３７に当接する位置に形成されている。
【００３６】
カギ部５４は各鍵側面５０の下端から下方に向かって延設され、このカギ部５４の長さは、図１及び図２に示すように、鍵５の配列方向から見て、疑似ハンマー７の少なくとも一部がカギ部５に常に重なる長さになるよう形成されている。そして各カギ部５４は、シャーシ３に取り付けられる際、前述したシャーシ３の挿通孔に挿通された状態で取り付けられる。そして、このように鍵５が取り付けられると、カギ部５４は、疑似ハンマー７を挟んだ両側にひとつずつ配置され、しかも、疑似ハンマー７がこのカギ部５４に対し摺動可能に配置される。
【００３７】
尚、カギ部５４の疑似ハンマー７に対向する部分には、フェルトを貼り付けるか、もしくはグリス等の潤滑油を塗るとよい。このようにすると、鍵５と疑似ハンマー７とが揺動する際、カギ部５４と疑似ハンマー７との摩擦が軽減され、鍵５及び疑似ハンマー７がスムーズに揺動するからである。また、このこのようにフェルトを貼ったりやグリスを塗ることで、鍵５が揺動する際、カギ部５４と疑似ハンマー７との間で発生することが予想される摩擦音の発生を防止することができる。尚、このフェルトあるいはグリスは、本発明の第１摩擦軽減手段に相当する。
【００３８】
押下片５８は、鍵５の下部から下方に延設され、疑似ハンマー７の押下片７４に対向する位置に設けられている。この押下片５８は、疑似ハンマー７の押下片７４に当接する長さに形成されている。
【００３９】
把持部６０は、シャーシ３の非演奏者側に設けられた軸部４１を、鍵５の遊端側が上下方向に揺動するよう把持可能に形成されている。
次に、疑似ハンマー７は、長尺に形成されると共に、鍵５の下部に鍵５の長さ方向に沿って配置されている。そしてこの疑似ハンマー７は、演奏者側から突起片７０、フェルト７２、軸部７３、押下片７４が設けられ、疑似ハンマー７の演奏者側先端の両側面７５ａには錘７５が貼り付けられている。
【００４０】
突起片７０は、前述したように、疑似ハンマー７の演奏者側先端であって、非押鍵時にストッパー３３に押鍵時にストッパー３２に対向する位置に設けられている（図２参照）。またこの突起片７０の周りには、フェルト７６が貼り付けられ、ストッパー３１やストッパー３３に当接したときの衝突音の軽減が図られている。
【００４１】
フェルト７２は、前述したように、押鍵時も非押鍵時もハンマーブレ防止片３４に対向する錘７５上に貼り付けられている。
軸部７３は、疑似ハンマー７の非演奏者側に設けられており、シャーシ３の軸受部３８に嵌挿可能に形成されている。そしてこの軸部７３を軸受部３８に嵌挿すると、疑似ハンマー７の演奏者側の端部が上下方向に揺動するよう、疑似ハンマー７がシャーシ３に対して取り付けられる。
【００４２】
押下片７４は、軸部７３よりも非演奏者側に設けられており、非演奏者側に向かって延設されている。この押下片７４は、鍵５の押下片５８とシャーシ３のゴムスイッチ３９の間に配置されている。押鍵時に押下片５８に押下されると、この押下片７４が下方に回転して疑似ハンマー７の演奏者側の端部が持ち上がり、それと同時にゴムスイッチ３９が押下され、演奏音が鳴る。そして、押鍵が終了すると、錘７５の重みにより疑似ハンマー７の演奏者側が下方に移動するので、押下片７４が上方に回転し、そのため押下片５８が上方に押し上げられて、鍵５の演奏者側が持ち上がり、それと同時にゴムスイッチ３９が復帰して、演奏音の鳴り終わる。
【００４３】
錘７５は、疑似ハンマー７の各貼付側面７５ａに貼り付けられている。
以上のように構成された鍵盤装置１は、次のように動作する。
鍵５の演奏者側の端部が押されると、鍵５は、非演奏者側の端部を支点に揺動する。その際、鍵５は、鍵ブレ防止片３０，４０に沿って移動し、鍵５の配列方向にぶれることがない。
【００４４】
疑似ハンマー７は、押鍵時、鍵５の押下片５８により押下片７４が押され、軸部７３を中心に演奏者側の先端が上方に向かって揺動する。その際、ハンマーブレ防止片３４及びカギ部５４部に当接した状態で、これらに対して摺動しながら移動するので、疑似ハンマー７は、鍵５の配列方向にぶれることなく揺動する。
【００４５】
以上説明した鍵盤装置１を用いると以下のような効果がある。
本実施形態の鍵盤装置１では、疑似ハンマー７の少なくとも一部が、鍵５の配列方向から見て、カギ部５４に常に重なるように配置されているので、この鍵盤装置１では、縦置き等により疑似ハンマー７（あるいは鍵５）が鍵５の配列方向に傾いても、カギ部５４が鍵５の配列方向への移動を規制する。そのため、この鍵盤装置１では、押鍵時に疑似ハンマー７と鍵５とが衝突する位置に疑似ハンマー７がずれたり、曲がったりすることがない。従って、本実施形態の鍵盤装置１を用いると、疑似ハンマー７と鍵５とが押鍵時に衝突することがないので、従来押鍵時にこれらが衝突して発生していた雑音を確実に抑えることができる。
【００４６】
また、本実施形態の鍵盤装置１では、カギ部５４が、疑似ハンマー７を挟んだ両側にひとつずつ設けられている。そのため、疑似ハンマー７あるいは鍵５が配列方向のどちらにずれても鍵５と疑似ハンマー７とが押鍵時にぶつかることがないので、どちらかひとつの場合よりも確実に雑音の発生を防ぐことができる。
【００４７】
また、本実施形態の鍵盤装置１では、疑似ハンマー７を、両カギ部５４に対し摺動可能に配置している。このようにすれば、鍵５と疑似ハンマー７との位置関係が固定されるので、これらが衝突して発生していた雑音を確実に抑えることができる。
【００４８】
また、本実施形態の鍵盤装置１では、シャーシ３は、疑似ハンマー７が揺動面に垂直な方向にぶれることを防止するハンマーブレ防止片３４を備えている。そのため、疑似ハンマー７が配列方向にぶれて、鍵５と疑似ハンマー７とが衝突して発生する可能性のある雑音をより確実に抑えることができる。
【００４９】
また、本実施形態の鍵盤装置１では、シャーシ３は、鍵５が配列方向にぶれることを防止する鍵ブレ防止片３０，４０を備えている。そのため、鍵５が配列方向にぶれて、鍵５と疑似ハンマー７とが衝突して発生する可能性のある雑音をより確実に抑えることができる。
【００５０】
尚、本発明の実施の形態は、上記実施形態に何ら限定されるものではなく、本発明の技術的範囲に属する限り種々の形態を採り得ることはいうまでもない。
【図面の簡単な説明】
【００５１】
【図１】本実施形態の鍵盤装置の断面図で、鍵の配列方向から見た断面図である。尚、この図１では白鍵のみ示してある。
【図２】本実施形態の鍵盤装置の断面図で、鍵の配列方向から見た断面図である。尚、図１では白鍵のみ示してある。
【符号の説明】
【００５２】
１…鍵盤装置、３…シャーシ、５…鍵、７…疑似ハンマー、３０…鍵ブレ防止片、３１…ストッパー、３２…ストッパー、３３…ストッパー、３４…ハンマーブレ防止片、３５…ストッパー、３７…ストッパー、３８…軸受部、３９…ゴムスイッチ、４０…鍵ブレ防止片、４１…軸部、５０…鍵側面、５２…突起片、５４…カギ部、５６…突起片、５８…押下片、６０…把持部、７０…突起片、７２…フェルト、７３…軸部、７４…押下片、７５…錘、５４０…爪部
【図１】
2005031492.tif 000003
【図２】
2005031492.tif 000004